(57)【特許請求の範囲】
【請求項１】
造営材の表面に直付けされる器具本体と、前記器具本体に取り付けられる光源ユニットとを有し、
前記光源ユニットは、光源ブロックと、透光性を有して前記光源ブロックを内部に収容するカバーとを備え、
前記光源ブロックは、光を放射する光源部と、前記光源部を支持する支持部材とを有し、
前記カバーは、箱状であって、前記支持部材と対向する箇所に、内側に凹んだ凹所が設けられており、
前記器具本体は、前記凹所と前記造営材とに囲まれる空間に収まるように前記光源ユニットが取り付けられていることを特徴とする照明器具。
【請求項２】
前記器具本体は、前記造営材の表面に向かって突出した複数の突起を有することを特徴とする請求項１記載の照明器具。
【請求項３】
前記光源ユニットは、前記凹所内に配置され、前記カバーを挟んで前記支持部材と結合される取付具を備え、前記取付具が前記器具本体に取り付けられていることを特徴とする請求項１又は２記載の照明器具。
【請求項４】
前記取付具は、結合部材を用いて前記器具本体と結合される結合部を有し、前記カバーは、前記結合部を露出させる露出部を有することを特徴とする請求項３記載の照明器具。
【請求項５】
前記取付具は、前記カバーにおける前記凹所の底に配置され、前記カバーにおける前記凹所の側面は、前記底に向かって傾斜する傾斜面に形成されていることを特徴とする請求項３又は４記載の照明器具。
【発明の詳細な説明】
【技術分野】
【０００１】
本発明は、照明器具に関し、より詳細には造営材の表面に直付けされる照明器具に関する。
【背景技術】
【０００２】
従来例として、特許文献１記載の照明器具を例示する。特許文献１記載の照明器具は、長尺で箱状の器具本体、金属製のフレーム、フレームに固定されるＬＥＤ、器具本体に対してフレームを支持するフレーム受台、ＬＥＤを点灯させる点灯装置などを備える。器具本体は、底面における長手方向の両端に、コ字状のフレーム受台がそれぞれ設けられる。フレームは、複数のＬＥＤを実装した基板が固定される底面板と、底面板の二長辺において直角に立ち上がる一対の側面板とを備え、一対のフレーム受台に支持される。また、点灯装置は、フレームの底面板の背面側に固定される。一対の側面板には、長手方向に沿った一条の溝がそれぞれ形成されている。これらの溝には、半透明の矩形板状に形成されたカバーの側端部分が挿入される。器具本体は、天井や壁などの造営材の表面に直付けされる。
【先行技術文献】
【特許文献】
【０００３】
【特許文献１】特開２０１０−２７７９２４号公報
【発明の概要】
【発明が解決しようとする課題】
【０００４】
ところで、特許文献１記載の照明器具は、長尺箱状の器具本体の前面から光が放射され、器具本体の側面からは光が放射されない。しかしながら、造営材の表面に直付けされる照明器具において、造営材の表側に露出している外観全体から光が放射される照明器具が望まれる場合がある。
【０００５】
本発明は、上記課題に鑑みてなされており、造営材の表側に露出している外観全体から光を放射することを目的とする。
【課題を解決するための手段】
【０００６】
本発明の照明器具は、造営材の表面に直付けされる器具本体と、前記器具本体に取り付けられる光源ユニットとを有し、前記光源ユニットは、光源ブロックと、透光性を有して前記光源ブロックを内部に収容するカバーとを備え、前記光源ブロックは、光を放射する光源部と、前記光源部を支持する支持部材とを有し、前記カバーは、箱状であって、前記支持部材と対向する箇所に、内側に凹んだ凹所が設けられており、前記器具本体は、前記凹所と前記造営材とに囲まれる空間に収まるように前記光源ユニットが取り付けられていることを特徴とする。
【発明の効果】
【０００７】
本発明の照明器具は、造営材の表側に露出している外観全体から光を放射することができるという効果がある。
【図面の簡単な説明】
【０００８】
【図１】実施形態に係る照明器具の斜視図である。
【図２】実施形態に係る照明器具の分解斜視図である。
【図３】実施形態に係る照明器具の背面図である。
【図４】実施形態に係る照明器具の縦断面図である。
【図５】実施形態に係る照明器具における光源ブロックの第１カバーを省略した正面図である。
【図６】実施形態に係る照明器具における光源ブロックの分解斜視図である。
【図７】実施形態に係る照明器具を示し、図４におけるＡ−Ａ線断面矢視図である。
【図８】実施形態に係る照明器具を示し、壁面に設置された状態の平面図である。
【発明を実施するための形態】
【０００９】
以下、本実施形態に係る照明器具Ｘについて、図面を参照して詳細に説明する。本実施形態に係る照明器具Ｘは、防湿・防雨性を有し、建物の外壁や軒下などへの設置に適した照明器具である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態に係る照明器具Ｘは、図１及び図２に示すように、光源ユニット１と器具本体６とを備える。器具本体６は、天井や壁などの造営材の表面（例えば、壁面）に、例えば、長手方向を鉛直方向（上下方向）にして取り付けられる。光源ユニット１は、造営材の表面に取り付けられた器具本体６に支持される。なお、以下の説明では、特に断りのない限り、図１において上下、前後、左右の各方向を規定する。すなわち、照明器具Ｘの長手方向を上下方向とし、照明器具Ｘの造営材の表面の法線方向を前後方向とし、照明器具Ｘの造営材の表面と平行な短手方向を左右方向とする。
【００１１】
器具本体６は、図２に示すように、長尺の矩形平板状に形成された底板６０と、底板６０の長手方向（上下方向）に沿って、底板６０の厚み方向（前向き）に立ち上がる一対の側板６１と、一対の固定板６２とを有する。底板６０と一対の側板６１は、例えば、ステンレス鋼板などの金属板が曲げ加工されることで一体に形成されることが好ましい。すなわち、一対の側板６１は、底板６０の強度を向上する役割を果たしている。一対の固定板６２は、図２及び図４に示すように、ステンレス鋼板などの金属板によって、厚み方向と直交する方向（左右方向）からみて、Ｌ字状に形成されている（図４参照）。固定板６２は、底板６０の長手方向の端部にねじ止めされる第１固定片６２０と、第１固定片６２０の端縁から前方へ立ち上がる第２固定片６２１とを有する。また、第２固定片６２１の中央には、ねじ孔６２２が設けられている（図２参照）。そして、これら一対の固定板６２は、第１固定片６２０がねじ６３を用いて底板６０の長手方向の端部にそれぞれねじ止めされる。なお、固定板６２の第２固定片６２１は、一対の側板６１と同じ向き（前向き）に突出するように、底板６０の前面側に固定される。
【００１２】
底板６０の中央には、電源線７が挿通される挿通孔６００が設けられる（図２及び図４参照）。また、底板６０の長手方向の両端近くには、長手方向を長軸方向とする長円形状のボルト挿通孔６０１がそれぞれ設けられる。さらに、底板６０の長手方向の一端におけるボルト挿通孔６０１の外側に丸孔６０２が設けられ、底板６０の長手方向の他端におけるボルト挿通孔６０１の外側にだるま孔６０３が設けられる。これらの丸孔６０２とだるま孔６０３は、器具本体６が木ねじによって造営材の表面に直付けされる際に利用される。さらに、底板６０の長手方向の両端近傍には、後方に突出する円錐台形状の突起６０４がそれぞれ４つずつ設けられている（図２〜図４参照）。
【００１３】
光源ユニット１は、図２〜図４に示すように、光源ブロック２、第２カバー３、電源ユニット４、取付具５などを有する。また、光源ブロック２は、図５及び図６に示すように、光源部に相当する２つのＬＥＤモジュール２０と、第１カバー２１と、支持部材２２と、固定具２３とを有する。２つのＬＥＤモジュール２０は、長尺の矩形平板状に形成された基板２０１と、基板２０１の前面に実装される複数個（図示例では１０個）の固体発光素子（発光ダイオード２００）と、一対の入力コネクタ２０２とをそれぞれ有する。発光ダイオード（ＬＥＤ）２００は、例えば、白色光を放射する白色発光ダイオードであり、基板２０１の短手方向（左右方向）の中央において、長手方向（上下方向）に沿って等間隔に一列に並べて実装されている（図５参照）。また、一対の入力コネクタ２０２は、基板２０１の長手方向の両端近傍にそれぞれ実装されている。２つのＬＥＤモジュール２０は、図５に示すように、長手方向に沿って直線状に並ぶように配置される。そして、２つのＬＥＤモジュール２０において、互いに隣り合う側の端部に実装されている入力コネクタ２０２同士が電線２０３で電気的に接続されている。また、２つのＬＥＤモジュール２０において、互いに隣り合わない側の端部に実装されている入力コネクタ２０２は、電線（入力線ともいう）２０４を介して、それぞれ電源ユニット４（の出力端子）と電気的に接続される（図４及び図５参照）。
【００１４】
支持部材２２は、ステンレス鋼板などの金属板により、主部２２０と、一対の側面部２２１とが一体に形成されることが好ましい。主部２２０は、図５及び図６に示すように、長尺の矩形平板状に形成される。一対の側面部２２１は、長尺の矩形平板状であって、それぞれ主部２２０の長手方向に沿った左右両側の端から斜め後方へ突出するように、主部２２０と一体に形成されている。なお、これら一対の側面部２２１は、後方に向かって互いの距離を離すように構成されている。つまり、支持部材２２は、上下方向から見て、おおよそ台形状に形成されている（図７参照）。主部２２０の前面に、２つのＬＥＤモジュール２０が長手方向に沿って一列に並ぶように取り付けられる。より詳細には、合成樹脂材料製の複数（図示例では６つ）のホルダ２４が主部２２０の前面側にねじ止めされ、これら複数のホルダ２４が、主部２２０との間でＬＥＤモジュール２０の基板２０１を挟み込んで支持するように構成されている（図５及び図７参照）。なお、主部２２０は、それぞれのＬＥＤモジュール２０において一対の入力コネクタ２０２が実装されている箇所を囲むように円形の孔２２００がそれぞれ形成されている（図５参照）。これらの孔２２００は、各入力コネクタ２０２と、導電性を有する主部２２０との絶縁距離を確保するために設けられている。また、主部２２０の長手方向の両端には、入力線２０４が挿通される挿通溝２２０１がそれぞれ設けられている（図５及び図６参照）。さらに、主部２２０の長手方向の両端において、左右方向の中央に矩形の突片２２０２が後向きに突出するように設けられている。なお、突片２２０２にはねじ孔２２０３が設けられることが好ましい（図６参照）。
【００１５】
一対の側面部２２１は、長手方向における両端の近くに、引掛片２２１０がそれぞれ設けられている。これらの引掛片２２１０は、側面部２２１が切り起こし加工されることにより、互いに他方の側面部２２１から反対向きに突出した鉤形に形成されている（図６参照）。また、それぞれの側面部２２１の長手方向の中央には、それぞれねじ孔２２１１が１つずつ設けられている（図６参照）。また、それぞれの側面部２２１の長手方向の両端近傍には、ねじ挿通孔２２１２が設けられている（図６参照）。
【００１６】
一対の固定具２３は、図６に示すように、第１固定板２３０、一対の第２固定板２３１及び第３固定板２３２をそれぞれ有している。第１固定板２３０は、それぞれ矩形の平板状に形成され、短手方向（上下方向）の中央にケーブル挿通孔２３００が設けられている。また、第１固定板２３０は、短手方向におけるケーブル挿通孔２３００の両側にそれぞれねじ孔２３０１が設けられている（図６参照）。さらに、第１固定板２３０のケーブル挿通孔２３００の周囲には、前方に向かってすり鉢状に凹んだ凹部２３０２が形成されている。なお、片方の固定具２３における凹部２３０２には、ケーブルグランド２５が収容され、ケーブルグランド２５を通して、電源線７がケーブル挿通孔２３００に挿通される（図４参照）。一対の第２固定板２３１は、それぞれ矩形平板状に形成されている。そして、一対の第２固定板２３１は、第１固定板２３０の左右両端から斜め後方へ突出するように、第１固定板２３０と一体に構成されている。また、第２固定板２３１は、円形のねじ孔２３１１と、上下方向を長軸方向とする長円形の孔２３１０とが長手方向（上下方向）に沿って並ぶようにそれぞれ設けられている（図６参照）。第３固定板２３２は、台形の平板状に形成されている。第３固定板２３２は、左右両端にそれぞれねじ孔２３２０が設けられている。一方側（上側）の固定具２３は、一対の側面部２２１のねじ挿通孔２２１２に挿通されるねじが、一対の第２固定板２３１のねじ孔２３１１にねじ込まれることで支持部材２２に取り付けられる。また、他方側（下側）の固定具２３は、一対の側面部２２１のねじ挿通孔２２１２に挿通されるねじ２２３が、一対の第２固定板２３１の孔２３１０に挿通されることにより、側面部２２１の長手方向に沿って移動可能に支持部材２２に取り付けられる（図７参照）。
【００１７】
電源ユニット４は、電源基板と、電源基板を収納する収納ケース４０とを有する（図４参照）。電源基板は、上下方向に長い矩形板状に形成されたプリント配線板からなり、このプリント配線板には、少なくともＬＥＤモジュール２０の点灯電力を生成するために必要な回路部品（例えば、トランスやダイオード、コンデンサなど）が実装されている。収納ケース４０は、長手方向（上下方向）の両端が開口する矩形箱状に形成されている。また、収納ケース４０は、例えば、ねじなどを用いて支持部材２２の主部２２０の背面（後面）に取り付けられることが好ましい（図４参照）。ここで、収納ケース４０の上側に入力端子（電源端子）が配置され、収納ケース４０の下側に出力端子が配置されている。そして、電源端子に電源線７が電気的に接続されている。また、出力端子に入力線２０４が電気的に接続されている（図４参照）。
【００１８】
第１カバー２１は、図６に示すように、第１カバー本体２１０と、一対の固定片２１１とを有し、ポリカーボネート樹脂やアクリル樹脂などの透光性を有する合成樹脂材料で一体に形成されている。ただし、第１カバー２１を形成している合成樹脂材料は、例えば、アクリル樹脂やシリコーン樹脂の微粒子を原料とする拡散材が混入されている。第１カバー本体２１０は、おおよそ半楕円筒形状に形成されている。一対の固定片２１１は、矩形の平板状に形成され、第１カバー本体２１０の長手方向に沿った両端（左右両端）から斜め後方へ突出している。一対の固定片２１１は、長手方向における中央にねじ挿通孔２１１０がそれぞれ設けられている。第１カバー２１は、一対の固定片２１１が一対の引掛片２２１０に引っ掛けられた状態でねじ挿通孔２１１０に挿通されたねじ２１２が側面部２２１のねじ孔２２１１にねじ込まれることで支持部材２２に取り付けられる（図７参照）。支持部材２２に取り付けられた第１カバー２１（の第１カバー本体２１０）は、支持部材２２の主部２２０と、一対の側面部２２１の前端部分（主部２２０と側面部２２１との境界＜側稜＞の部分。以下、側稜部２２２という）とを前方から覆っている。つまり、ＬＥＤモジュール２０のＬＥＤ２００から放射される光は、第１カバー２１を透過する際に拡散される。ここで、第１カバー本体２１０は、ＬＥＤ２００との距離が相対的に近い中央部２１００の透過率（光線透過率）が、中央部２１００を除く周辺部２１０１の透過率よりも低くされることが好ましい。例えば、第１カバー本体２１０は、透過率が２３％程度の拡散材入り合成樹脂材料で形成される中央部２１００と、透過率が８２％程度の拡散材入り合成樹脂材料で形成される周辺部２１０１とが二色成形によって一体に形成されることが好ましい（図７参照）。第１カバー２１が上述のように構成されれば、中央部２１００を透過する際に拡散されずに直進する光（光束）を減少させて眩しさ感（不快なグレア）の低減を図ることができる。
【００１９】
第２カバー３は、図２に示すように、第２カバー本体３０と、２つのカバーエンド３１と、２つの防水パッキン３２とを有する。第２カバー本体３０は、例えば、ポリカーボネート樹脂やアクリル樹脂などの透光性を有する合成樹脂材料が押出成形されることにより、おおよそ角筒状に形成されている。すなわち、第２カバー本体３０は、矩形平板状の前壁３００と、前壁３００の左右両側にそれぞれ配設される一対の側壁３０１と、一対の側壁３０１と繋がり、前壁３００と対向する後壁３０２とを有する。一対の側壁３０１は、後方に向かって互いの間隔を広くするように傾斜している（図７参照）。また、後壁３０２には、内向き（前向き）に凹んだ凹所３０３が形成されている。後壁３０２において、凹所３０３の底に相当する部位（以下、底部３０４ともいう）は、前壁３００とほぼ平行となっている。また、後壁３０２において、凹所３０３の両側の壁に相当する部位（以下、側壁部３０５ともいう）は、後方に向かって互いの間隔を広くするように傾斜している。底部３０４は、長手方向（上下方向）の両端近傍に、それぞれ２つのねじ挿通孔３０６が長手方向に間隔を空けて設けられている（図４参照）。また、底部３０４の上側の端部において、２つのねじ挿通孔３０６の間に、電線挿通孔３０７が設けられている。この電線挿通孔３０７には、ケーブルグランド２５が嵌め込まれる。
【００２０】
２つのカバーエンド３１は、図２に示すように、おおよそ台形状の底壁３１０と、底壁３１０の裏面に設けられる外周壁３１１及び内周壁３１２とを有する。外周壁３１１及び内周壁３１２は、カバー本体３０の長手方向に直交する断面の形状に相似した形状に形成されている。また、外周壁３１１は、底壁３１０の裏面の周縁から突出する筒状に形成されている。内周壁３１２は、外周壁３１１の内側において、外周壁３１１との間に隙間を空けて底壁３１０の裏面から突出する筒状に形成されている。なお、外周壁３１１と内周壁３１２との隙間には、防水パッキン３２とともに、カバー本体３０の長手方向の端部が嵌め込まれる（図４参照）。底壁３１０は、後端における左右方向の中央部分に、矩形の溝からなる露出部３１５が設けられている。また、底壁３１０には、表面から裏面に向かって凹んだ、円筒形の凹部３１３が左右方向に並ぶように２つ設けられている。さらに、これら２つの凹部３１３の底に、円形の孔が形成されている。なお、カバーエンド３１は、第２カバー本体３０と同じ透光性材料（例えば、ポリカーボネート樹脂やアクリル樹脂などの透光性を有する合成樹脂材料）で形成されることが好ましい。
【００２１】
防水パッキン３２は、シリコーン樹脂などの弾性を有する材料により、カバーエンド３１の外周壁３１１及び内周壁３１２に相似した筒状に形成されている。また、防水パッキン３２の片方の端部には、カバーエンド３１の内周壁３１２の先端が全周に渡って嵌まり込む溝３２０が形成されている（図４参照）。なお、防水パッキン３２の内周面及び外周面には、複数条の突起が全周に渡って形成されることが好ましい。
【００２２】
取付具５は、図６に示すように、第１取付板５０、第２取付板５１及び一対の側板５２を有する。なお、第１取付板５０、第２取付板５１及び一対の側板５２は、ステンレス鋼板などの金属板が加工されることで一体に形成されることが好ましい。第１取付板５０は、矩形の平板状に形成されている。第１取付板５０は、長手方向の中央に円形の電線挿通孔５００が設けられ、長手方向に沿った電線挿通孔５００の両側にねじ挿通孔５０１がそれぞれ設けられている。また、第１取付板５０における２つのねじ挿通孔５０１の周囲には、円錐台形状の突部５０２が設けられている。つまり、２つのねじ挿通孔５０１は、円錐台形状の突部５０２の天面（底面）に設けられている。第２取付板５１は、矩形の平板状に形成され、第１取付板５０の短手方向に沿った一端から立ち上がるように設けられている。また、２つの取付具５のうち、一方の取付具５の第２取付板５１の中央には、長孔状の第１挿通孔５１０が設けられ、他方の取付具５の第２取付板５１の中央には、円形の第２挿通孔５１１が設けられている（図６参照）。一対の側板５２は、Ｌ字状に形成され、第１取付板５０の長手方向に沿った両端と第２取付板５１の短手方向に沿った両端とを跨ぐように設けられている。つまり、一対の側板５２は、第１取付板５０と第２取付板５１の強度の向上を図る役割を担っている。
【００２３】
次に、光源ユニット１の組立手順を説明する。まず、組立作業を行う作業者は、２つのＬＥＤモジュール２０、第１カバー２１、２つの固定具２３及び電源ユニット４を取り付けた支持部材２２を、長手方向の一端側から第２カバー本体３０内に挿入する。さらに、作業者は、支持部材２２に取り付けられている２つの固定具２３に第２カバー本体３０及び取付具５を固定する。すなわち、作業者は、取付具５の第１取付板５０のねじ挿通孔５０１と第２カバー本体３０の底部３０４に設けられているねじ挿通孔３０６にねじ３３をそれぞれ挿通し、そのねじ３３を固定具２３の第１固定板２３０のねじ孔２３０１にねじ込む。このとき、作業者は、第１取付板５０の突部５０２と固定具２３の第１固定板２３０との間に、弾性を有するワッシャ（ゴムワッシャ）３３０を収容し、ワッシャ３３０を介してねじ３３をねじ孔２３０１にねじ込むことが好ましい（図４及び図６参照）。したがって、光源ブロック２は、図７に示すように、一対の側面部２２１の間に第２カバー本体３０の凹所３０３を収めるようにして、第２カバー本体３０の後壁３０２の底部３０４を介して取付具５の第１取付板５０に取り付けられる。
【００２４】
続いて、作業者は、外周壁３１１と内周壁３１２の間の隙間に防水パッキン３２を装着したカバーエンド３１を、第２カバー本体３０の長手方向の端部にそれぞれ被せる。より詳細には、作業者は、外周壁３１１と防水パッキン３２の間に、第２カバー本体３０の端部を圧入するようにして、カバーエンド３１を第２カバー本体３０の長手方向の両端に取り付ける。さらに、作業者は、弾性を有するワッシャ３４０を介して、凹部３１３の底の孔にねじ３４のねじ部（雄ねじ）を挿通し、固定具２３の第３固定板２３２のねじ孔２３２０にねじ込む。つまり、２つのカバーエンド３１は、それぞれ２本のねじ３４によって固定具２３の第３固定板２３２にねじ止めされる。ただし、作業者は、カバーエンド３１の２つの凹部３１３に、シリコーン樹脂のような弾性材料で円柱状に形成された封止部材３５を圧入し、凹部３１３を封止することが好ましい（図８参照）。ここで、カバーエンド３１が第２カバー本体３０に取り付けられた状態では、カバーエンド３１の底壁３１０の露出部３１５を通して、取付具５の第２取付板５１の第１挿通孔５１０及び第２挿通孔５１１が露出する。以上のようにして、光源ユニット１が組み立てられる。
【００２５】
次に、本実施形態に係る照明器具Ｘの施工手順を説明する。ただし、以下の説明では、建物の壁面に縦向き（長手方向を上下方向とする向き）に取り付ける場合を例示するが、取付の向きは横向き（長手方向を水平方向とする向き）であってもよい。また、建物の天井や軒下に取り付けられてもよい。
【００２６】
施工作業を行う作業者は、例えば、壁に埋め込まれているボルトに器具本体６を取り付ける。ただし、底板６０に設けられている合計８つの突起６０４が壁面Ｗに当たるため、壁面Ｗと器具本体６（の底板６０）の後面との間には、突起６０４の高さ（数ミリメートル）に等しい隙間が生じる。
【００２７】
続いて、作業者は、２つの取付具５と器具本体６の底板６０を落下防止紐５５で繋いだ後（図３参照）、第２カバー３の凹所３０３内に器具本体６を収めるように、光源ユニット１を器具本体６に被せる。このとき、器具本体６の固定板６２の第２固定片６２１は、カバーエンド３１の露出部３１５から見て、取付具５の第２取付板５１の背後に隠れている。それから、作業者は、カバーエンド３１の露出部３１５を通して、段付きねじからなる取付ねじ５４を、取付具５の第２取付板５１の第１挿通孔５１０（又は第２挿通孔５１１）に挿通し、第２固定片６２１のねじ孔６２２にねじ込む（図４参照）。その結果、光源ユニット１は、２本の取付ねじ５４を用いて器具本体６に結合されて取り付けられる。このようにして、光源ユニット１が器具本体６に取り付けられることで照明器具Ｘの壁面Ｗへの施工が完了する（図１及び図８参照）。
【００２８】
ここで、本実施形態に係る照明器具Ｘにおける光源ユニット１は、箱状に形成された第２カバー３内に光源ブロック２を収容し、第２カバー３（の第２カバー本体３０）の支持部材２２と対向する箇所（後壁３０２）に、内側に凹んだ凹所３０３が設けられている。そして、器具本体６は、凹所３０３と壁面Ｗとに囲まれる空間に収まるように、光源ユニット１が取り付けられている。本実施形態に係る照明器具Ｘは上述のように構成されるため、造営材の表側（壁面Ｗ）に露出している外観（第２カバー３）全体から光を放射することができる。しかも、光源ユニット１は、第２カバー３内の中心付近にＬＥＤモジュール２０が配置されるので（図７参照）、第２カバー３の前壁３００及び側壁３０１の表面の輝度の均斉度の向上を図ることができる。また、光源ユニット１は、第２カバー３の凹所３０３内に配置される取付具５によって器具本体６に取り付けられるので、取付具５の高さ分だけ凹所３０３を深くして、ＬＥＤモジュール２０を第２カバー３の中心に近付けることができる。さらに、取付具５は、ねじ５４を用いて器具本体６と結合される結合部（第２取付板５１の第１挿通孔５１０及び第２挿通孔５１１）を有している。そして、第２カバー３のカバーエンド３１は、第１挿通孔５１０及び第２挿通孔５１１を露出させる露出部３１５を有している。したがって、本実施形態に係る照明器具Ｘは、カバーエンド３１が第２カバー本体３０に取り付けられた状態で、光源ユニット１を器具本体６に取り付けることができるので、施工作業の簡素化を図ることができる。ここで、取付具５は凹所３０３の底部３０４に配置されている。また、凹所３０３の側壁部３０５は、底部３０４に向かって傾斜するように形成されている。したがって、本実施形態に係る照明器具Ｘは、器具本体６に光源ユニット１が取り付けられる際、側壁部３０５に器具本体６が当たり、取付具５が配置されている凹所３０３の底部３０４に器具本体６が案内される。その結果、本実施形態に係る照明器具Ｘは、器具本体６に対する光源ユニット１の取付作業（施工作業）の作業性の向上を図ることができる。
【００２９】
ところで、本実施形態に係る照明器具Ｘは、器具本体６の底板６０に設けられている８つの突起６０４が壁面Ｗに当たるため、壁面Ｗと器具本体６（の底板６０）の後面との間に、突起６０４の高さ（数ミリメートル）に等しい隙間が生じる。したがって、本実施形態に係る照明器具Ｘは、この隙間を通して第２カバー３の後壁３０２を透過した光を壁面Ｗに照射するので、壁面Ｗに照明器具Ｘの陰を生じ難くできる。
【００３０】
ここで、本実施形態に係る照明器具Ｘでは、第１カバー本体２１０（の周辺部２１０１）と同じ材料で矩形平板状に形成されている拡散板２６が、第１カバー本体２１０の長手方向（上下方向）の両端と対向するようにそれぞれ配置されている（図４及び図７参照）。これら２つの拡散板２６は、支持部材２２の主部２２０に設けられている突片２２０２のねじ孔２２０３にねじ止めされることが好ましい。つまり、拡散板２６が配置されない場合、カバーエンド３１を通して第１カバー本体２１０の陰が見えてしまう可能性があるが、拡散板２６が配置されることにより、第１カバー本体２１０の陰が見え難くなる。
【００３１】
上述のように本実施形態に係る照明器具Ｘは、造営材の表面（壁面Ｗ）に直付けされる器具本体６と、器具本体６に取り付けられる光源ユニット１とを有する。光源ユニット１は、光源ブロック２と、透光性を有して光源ブロック２を内部に収容するカバー（第２カバー３）とを備える。光源ブロック２は、光を放射する光源部（ＬＥＤモジュール２０）と、ＬＥＤモジュール２０を支持する支持部材２２とを有する。第２カバー３は、箱状であって、支持部材２２と対向する箇所（第２カバー本体３０の後壁３０２）に、内側に凹んだ凹所３０３が設けられている。器具本体６は、凹所３０３と壁面Ｗとに囲まれる空間に収まるように光源ユニット１が取り付けられている。
【００３２】
本実施形態に係る照明器具Ｘが上述のように構成されれば、造営材の表側（壁面Ｗ）に露出している外観（第２カバー３）全体から光を放射することができる。
【００３３】
また、本実施形態に係る照明器具Ｘにおいて、器具本体６は、壁面Ｗに向かって突出した複数の突起６０４を有することが好ましい。
【００３４】
本実施形態に係る照明器具Ｘが上述のように構成されれば、壁面Ｗと器具本体６との間に隙間が生じるので、この隙間を通して第２カバー３の後壁３０２を透過した光を壁面Ｗに照射して、壁面Ｗに照明器具Ｘの陰を生じ難くできる。
【００３５】
さらに、本実施形態に係る照明器具Ｘにおいて、光源ユニット１は、凹所３０３内に配置され、第２カバー３を挟んで支持部材２２と結合される取付具５を備えることが好ましい。取付具５が器具本体６に取り付けられていることが好ましい。
【００３６】
本実施形態に係る照明器具Ｘが上述のように構成されれば、光源ユニット１が、第２カバー３の凹所３０３内に配置される取付具５によって器具本体６に取り付けられるので、取付具５の高さ分だけ凹所３０３を深くできる。その結果、本実施形態に係る照明器具Ｘは、ＬＥＤモジュール２０を第２カバー３の中心に近付けて、第２カバー３の表面の輝度の均斉度の向上を図ることができる。
【００３７】
本実施形態に係る照明器具Ｘにおいて、取付具５は、結合部材（ねじ５４）を用いて器具本体６と結合される結合部（第１挿通孔５１０及び第２挿通孔５１１）を有することが好ましい。第２カバー３（のカバーエンド３１）は、第１挿通孔５１０及び第２挿通孔５１１を露出させる露出部３１５を有することが好ましい。
【００３８】
本実施形態に係る照明器具Ｘが上述のように構成されれば、露出部３１５を通してねじ５４を締め付けることができるので、施工作業の簡素化を図ることができる。
【００３９】
本実施形態に係る照明器具Ｘにおいて、取付具５は、第２カバー３における凹所３０３の底部３０４に配置されることが好ましい。第２カバー３における凹所３０３の側面（側壁部３０５）は、底部３０４に向かって傾斜する傾斜面に形成されていることが好ましい。
【００４０】
本実施形態に係る照明器具Ｘが上述のように構成されれば、器具本体６に光源ユニット１が取り付けられる際、側壁部３０５に器具本体６が当たり、取付具５が配置されている凹所３０３の底部３０４に器具本体６が案内される。その結果、本実施形態に係る照明器具Ｘは、器具本体６に対する光源ユニット１の取付作業（施工作業）の作業性の向上を図ることができる。
【符号の説明】
【００４１】
Ｘ  照明器具
Ｗ  壁面（造営材の表面）
１  光源ユニット
２  光源ブロック
３  第２カバー（カバー）
５  取付具
６  器具本体
２０  ＬＥＤモジュール（光源部）
２２  支持部材
５４  ねじ（結合部材）
３０３  凹所
３０４  底部（凹所の底）
３０５  側壁部（凹所の側面）
３１５  露出部
６０４  突起
【図１】
0006653440.tif 000002
【図２】
0006653440.tif 000003
【図３】
0006653440.tif 000004
【図４】
0006653440.tif 000005
【図５】
0006653440.tif 000006
【図６】
0006653440.tif 000007
【図７】
0006653440.tif 000008
【図８】
0006653440.tif 000009